(57)【要約】【課題】撮影に必要な情報を効率よく表示できるカメラシステムを提供する。【解決手段】カメラ本体１０と交換レンズ１００とからなるカメラシステム１において、交換レンズ１０の鏡筒部１０２の外周に表示部１０６を形成し、その表示部１０６に焦点距離目盛、距離目盛、被写界深度目盛等を切り換え可能に表示する。【選択図】      図１
2007072407.tif 000002
【特許請求の範囲】
【請求項１】
カメラ本体とレンズとからなるカメラシステムにおいて、
前記レンズの鏡筒部分に設けられた表示手段と、
前記レンズの設定状態を検出する状態検出手段と、
前記状態検出手段で検出された前記レンズの設定状態から所定のレンズ情報を生成するレンズ情報生成手段と、
前記レンズ情報生成手段で生成されたレンズ情報を前記表示手段に表示させる表示制御手段と、
を備えたことを特徴とするカメラシステム。
【請求項２】
前記レンズが前記カメラ本体に着脱自在に設けられ、交換可能であることを特徴とする請求項１に記載のカメラシステム。
【請求項３】
前記レンズ情報生成手段は、現在設定されているレンズの焦点距離、被写体距離、絞り値、被写界深度の少なくとも一つをレンズ情報として生成することを特徴とする請求項１又は２に記載のカメラシステム。
【請求項４】
前記カメラ本体で使用するフィルム又は撮像素子のサイズ情報を取得するサイズ情報取得手段を有し、
前記レンズ情報生成手段は、前記サイズ情報取得手段で取得したフィルム又は撮像素子のサイズ情報に基づいて所定のフィルム又は撮像素子のサイズに換算した焦点距離の情報をレンズ情報として生成することを特徴とする請求項１、２又は３に記載のカメラシステム。
【請求項５】
電子ズーム手段と、
前記電子ズーム手段によるズーム倍率情報を取得するズーム倍率情報取得手段と、
を備え、前記レンズ情報生成手段は、前記ズーム倍率情報取得手段で取得したズーム倍率の情報に基づいて所定のフィルム又は撮像素子のサイズに換算した焦点距離の情報をレンズ情報として生成することを特徴とする請求項１、２、３又は４に記載のカメラシステム。
【請求項６】
赤外撮影モードに設定するモード設定手段を備え、
前記レンズ情報生成手段は、前記モード設定手段で赤外撮影モードに設定されると、赤外撮影に応じた被写体距離の情報をレンズ情報として生成することを特徴とする請求項１、２、３、４又は５に記載のカメラシステム。
【請求項７】
前記表示手段に表示するレンズ情報の切り換えを指示する切換手段を備え、
前記表示制御手段は、前記切換手段からの指示に応じて前記表示手段に表示するレンズ情報を切り換えることを特徴とする請求項１、２、３、４、５又は６に記載のカメラシステム。
【請求項８】
前記表示手段を前記カメラ本体に設けたことを特徴とする請求項１、２、３、４、５、６又は７に記載のカメラシステム。
【発明の詳細な説明】
【技術分野】
【０００１】
本発明はカメラシステムに係り、特に交換レンズの鏡筒部分に距離情報や焦点距離情報等が表示可能なカメラシステムに関する。
【背景技術】
【０００２】
一眼レフカメラのように、マニュアル操作が可能なカメラのレンズには、鏡筒部の外周に距離目盛や焦点距離目盛が付されており、現在のレンズの設定状況が一目で確認できるようにされている。
【０００３】
通常、このような目盛は印刷で形成されるが（たとえば、特許文献１）、印刷で形成すると、長年使用している間に印刷が擦れ、見にくくなるという欠点があった。
【０００４】
そこで、鏡筒部の外周に表示窓を設け、この表示窓の内側に距離目盛等を形成することも行われている（たとえば、特許文献２）。
【特許文献１】実開平７−８８１４号公報
【特許文献２】特開平８−３０４６８１号公報
【発明の開示】
【発明が解決しようとする課題】
【０００５】
しかしながら、コンパクトな構成のレンズでは、鏡筒部に距離目盛や焦点距離目盛などを形成すると、表示が煩雑になり、かえって見にくくなるという欠点がある。その一方でこれらの表示を省略すると、撮影に必要な情報が得られず、撮影がしにくくなるという欠点もある。
【０００６】
また、近年、デジタル一眼レフカメラが急速に普及しているが、一般にデジタル一眼レフカメラに用いられている撮像素子のサイズは、３５ｍｍ版フィルムよりも小さいため、３５ｍｍ版フィルム用のレンズを装着すると、画角が狭くなるという問題があった。このため、３５ｍｍ版フィルムと同じ感覚で撮影できないという欠点があった。
【０００７】
本発明は、このような事情に鑑みてなされたもので、撮影に必要な情報を効率よく表示できるカメラシステムを提供することを目的とする。
【課題を解決するための手段】
【０００８】
請求項１に係る発明は、前記目的を達成するために、カメラ本体とレンズとからなるカメラシステムにおいて、前記レンズの鏡筒部分に設けられた表示手段と、前記レンズの設定状態を検出する状態検出手段と、前記状態検出手段で検出された前記レンズの設定状態から所定のレンズ情報を生成するレンズ情報生成手段と、前記レンズ情報生成手段で生成されたレンズ情報を前記表示手段に表示させる表示制御手段と、を備えたことを特徴とするカメラシステムを特徴とする。
【０００９】
請求項１に係る発明によれば、レンズの鏡筒部分に表示手段が設けられており、その表示手段に所定のレンズ情報が表示される。これにより、必要な情報のみをレンズに効率よく表示することができる。
【００１０】
請求項２に係る発明は、前記目的を達成するために、前記レンズが前記カメラ本体に着脱自在に設けられ、交換可能であることを特徴とする請求項１に記載のカメラシステムを提供する。
【００１１】
請求項２に係る発明によれば、レンズを交換することができる。これにより、装着したカメラ本体に応じて必要な情報を表示部に表示することができる。
【００１２】
請求項３に係る発明は、前記目的を達成するために、前記レンズ情報生成手段は、現在設定されているレンズの焦点距離、被写体距離、絞り値、被写界深度の少なくとも一つをレンズ情報として生成することを特徴とする請求項１又は２に記載のカメラシステムを提供する。
【００１３】
請求項３に係る発明によれば、現在設定されているレンズの焦点距離、被写体距離、絞り値、被写界深度の少なくとも一つがレンズ情報として表示される。
【００１４】
請求項４に係る発明は、前記目的を達成するために、前記カメラ本体で使用するフィルム又は撮像素子のサイズ情報を取得するサイズ情報取得手段を有し、前記レンズ情報生成手段は、前記サイズ情報取得手段で取得したフィルム又は撮像素子のサイズ情報に基づいて所定のフィルム又は撮像素子のサイズに換算した焦点距離の情報をレンズ情報として生成することを特徴とする請求項１、２又は３に記載のカメラシステムを提供する。
【００１５】
請求項４に係る発明によれば、所定のフィルム又は撮像素子のサイズに換算した焦点距離の情報がレンズ情報として表示手段に表示される。
【００１６】
請求項５に係る発明は、前記目的を達成するために、電子ズーム手段と、前記電子ズーム手段によるズーム倍率情報を取得するズーム倍率情報取得手段と、を備え、前記レンズ情報生成手段は、前記ズーム倍率情報取得手段で取得したズーム倍率の情報に基づいて所定のフィルム又は撮像素子のサイズに換算した焦点距離の情報をレンズ情報として生成することを特徴とする請求項１、２、３又は４に記載のカメラシステムを提供する。
【００１７】
請求項５に係る発明によれば、カメラ本体に電子ズーム機能が備えられている場合において、電子ズームのズーム倍率の情報に基づいて所定のフィルム又は撮像素子のサイズに換算した焦点距離の情報がレンズ情報として表示手段に表示される。
【００１８】
請求項６に係る発明は、前記目的を達成するために、赤外撮影モードに設定するモード設定手段を備え、前記レンズ情報生成手段は、前記モード設定手段で赤外撮影モードに設定されると、赤外撮影に応じた被写体距離の情報をレンズ情報として生成することを特徴とする請求項１、２、３、４又は５に記載のカメラシステムを提供する。
【００１９】
請求項６に係る発明によれば、カメラ本体が赤外撮影の機能を備えている場合において、赤外撮影モードに設定すると、赤外撮影に応じた被写体距離の情報がレンズ情報として表示手段に表示される。すなわち、赤外撮影の場合、結像位置がずれるため、赤外撮影用の被写体距離の情報がレンズ情報として表示手段に表示される。
【００２０】
請求項７に係る発明は、前記目的を達成するために、前記表示手段に表示するレンズ情報の切り換えを指示する切換手段を備え、前記表示制御手段は、前記切換手段からの指示に応じて前記表示手段に表示するレンズ情報を切り換えることを特徴とする請求項１、２、３、４、５又は６に記載のカメラシステムを提供する。
【００２１】
請求項７に係る発明によれば、表示手段に表示するレンズ情報を切り換えることができる。これにより、ユーザが必要な情報のみを選択的に表示手段に表示させることができる。
【００２２】
請求項８に係る発明は、前記目的を達成するために、前記表示手段を前記カメラ本体に設けたことを特徴とする請求項１、２、３、４、５、６又は７に記載のカメラシステムを提供する。
【００２３】
請求項８に係る発明によれば、表示手段がカメラ本体に設けられ、このカメラ本体に設けられた表示手段にレンズ情報が表示される。
【発明の効果】
【００２４】
本発明に係るカメラシステムによれば、撮影に必要な情報を効率よく表示できる。
【発明を実施するための最良の形態】
【００２５】
以下、添付図面に従って本発明に係るカメラシステムを実施するための最良の形態について説明する。
【００２６】
図１は、本発明が適用されたカメラシステムの外観構成を示す斜視図である。
【００２７】
同図に示すように、本実施の形態のカメラシステム１は、カメラ本体１０と交換レンズ１００とからなる一眼レフカメラシステムとして構成されている。
【００２８】
交換レンズ１００は、その基端部に設けられたレンズ側マウントをカメラ本体１０の正面に設けられたカメラ側マウントに接合することで、カメラ本体１０に着脱自在に取り付けられる。同じ規格のマウントであれば、カメラ本体に他の交換レンズを装着することができ、また、交換レンズを他のカメラ本体に装着することができる。また、互いのマウントには、接点が設けられており、交換レンズ１００をカメラ本体１０に装着すると、互いの接点が接続される。これにより、カメラ本体１０と交換レンズ１００とが相互に通信可能に接続される。このようなマウントの構造自体は公知であるので、ここでは、その具体的な構成についての説明は省略する。
【００２９】
また、交換レンズ１００は、単焦点レンズの場合、鏡筒部１０２の外周にフォーカスリング１０４Ｆが設けられる。交換レンズ１００は、このフォーカスリング１０４Ｆを回転操作することにより、フォーカシングが行われる。
【００３０】
また、ズームレンズの場合は、鏡筒部１０２の外周にフォーカスリング１０４Ｆとズームリング１０４Ｚが設けられる。交換レンズ１００は、フォーカスリング１０４Ｆを回転操作することにより、フォーカシングが行われ、ズームリング１０４Ｚを回転操作又は前後にスライド操作することにより、ズーミングが行われる。図１は、交換レンズ１００としてズームレンズをカメラ本体１０に装着した場合を示している。
【００３１】
なお、交換レンズ１００が、ＡＦ（オートフォーカス）レンズの場合、フォーカシングのためのレンズ駆動はモータで行われる。一般にＡＦレンズは、ＡＦとＭＦ（マニュアルフォーカス）が任意に切り換えられ、ＡＦモードに設定されると、フォーカシングが自動で行われる。一方、ＭＦモードに設定されると、フォーカスリング１０４Ｆの手動操作でフォーカシングが行われる。このＡＦ／ＭＦの切り換えは、たとえば鏡筒部１０２に備えられた切換スイッチ（図示せず）で行われる。
【００３２】
交換レンズ１００が、パワーズームレンズの場合も同様にズーミングのためのレンズ駆動はモータで行われる。
【００３３】
このようなＡＦレンズやパワーズームレンズの構造自体は公知なので、ここでは、その具体的な構成についての説明は省略する。
【００３４】
また、交換レンズ１００は、絞りを内蔵しており、この絞りで入射光量が調節される。レンズ側で絞りを設定可能な交換レンズの場合、鏡筒部１０２の外周に絞りリングが設けられ、この絞りリングを回転操作することにより、所定の絞り値に設定される。
【００３５】
このように、交換レンズとしての基本的な構成は、公知の交換レンズと変わらないが、本実施の形態の交換レンズ１００では、図１及び図２に示すように、鏡筒部１０２の外周にレンズ情報を表示するための表示部１０６が備えられている。この表示部１０６は、矩形状に形成されており、鏡筒部１０２の外周面に沿って湾曲して取り付けられている。このため、表示部１０６は、可撓性を有する電子ペーパで構成されている。また、この表示部１０６は、図１に示すように、交換レンズ１００をカメラ本体１０に装着した際、交換レンズ１００の上面に位置するように配置されており、上方から目視できるようにされている。
【００３６】
さて、上記のように、この交換レンズ１００に設けられた表示部１０６には、レンズ情報が表示されるが、具体的には、現在設定されている交換レンズ１００の距離情報（被写体距離情報）、焦点距離情報、絞り情報、被写体深度情報等が表示される。この表示は、任意に切り換えられるようにされており、たとえば、カメラ本体１０に設けられた操作部（表示切り換えボタン等）の操作で表示が切り換えられる。
【００３７】
図３は、表示部１０６の表示制御に係わる構成のブロック図である（交換レンズがズームレンズの場合）。
【００３８】
同図に示すように、交換レンズ１００は、レンズＣＰＵ１１０、システムメモリ１１２、ズーム位置センサ１１４、フォーカス位置センサ１１６、表示制御回路１１８を備えている。一方、カメラ本体１０は、カメラＣＰＵ１２、システムメモリ１４、操作部１６を備えている。
【００３９】
レンズＣＰＵ１１０は、交換レンズ１００の全体の動作を統括制御する制御部として機能する。このレンズＣＰＵ１１０は、システムメモリ１１２に格納された制御プログラムに従って動作し、交換レンズ１００の各部を制御する。
【００４０】
システムメモリ１１２は、ＲＯＭとＲＡＭとからなり、ＲＯＭには、レンズＣＰＵ１１０が実行する制御プログラムの他、制御に必要なデータ及び交換レンズの固有のデータ等が格納されている。また、ＲＡＭはレンズＣＰＵ１１０の作業領域として使用される。
【００４１】
ズーム位置センサ１１４は、交換レンズ１００を構成するズームレンズの位置を検出し、その検出結果をレンズＣＰＵ１１０に出力する。レンズＣＰＵ１１０は、このズーム位置センサ１１４の検出結果に基づいて現在交換レンズ１００に設定されている焦点距離を算出する。
【００４２】
フォーカス位置センサ１１６は、交換レンズ１００を構成するフォーカスレンズの位置を検出し、その検出結果をレンズＣＰＵ１１０に出力する。レンズＣＰＵ１１０は、このフォーカス位置センサ１１６の検出結果に基づいて現在交換レンズ１００に設定されている被写体距離を算出する。
【００４３】
表示制御回路１１８は、レンズＣＰＵ１１０からの指令に基づいて表示部１０６を制御し、表示部１０６に所定の情報を表示させる。
【００４４】
カメラＣＰＵ１２は、カメラ本体１０の全体の動作を統括制御する制御部として機能する。このカメラＣＰＵ１２は、システムメモリ１４に格納された制御プログラムに従って動作し、カメラ本体１０の各部を制御する。
【００４５】
システムメモリ１４は、ＲＯＭとＲＡＭとからなり、ＲＯＭには、カメラＣＰＵ１２が実行する制御プログラムの他、制御に必要なデータ等が格納されている。また、ＲＡＭはカメラＣＰＵ１２の作業領域として使用される。
【００４６】
レンズＣＰＵ１１０とカメラＣＰＵ１２は、相互にＣＰＵ間通信を行って、必要なデータの送受信を行う。そして、レンズＣＰＵ１１０は、カメラＣＰＵ１２から得た情報、ズーム位置センサ１１４、フォーカス位置センサ１１６に基づいて表示部１０６に所定のレンズ情報を表示させる。
【００４７】
図４は、表示部１０６に表示されるレンズ情報の例を示している。
【００４８】
図４（ａ）は、レンズ情報として、表示部１０６に焦点距離目盛と距離目盛と被写界深度目盛を表示した場合を示している。
【００４９】
焦点距離目盛は、中央に指標が表示され、その指標が指し示す先に現在設定されている焦点距離が表示される。図４（ａ）に示す例の場合、焦点距離が５０ｍｍに設定されている場合が示されている。
【００５０】
距離目盛は、中央に指標が表示され、その指標が指し示す先に現在設定されている距離（被写体距離）が表示される。図４（ａ）に示す例の場合、距離が１ｍに設定されている場合が示されている。
【００５１】
被写界深度目盛は、距離目盛と共に表示され、指標の左右に設定された絞り値に対応する被写界深度の目盛が表示される。図４（ａ）に示す例の場合、絞りがＦ１１、Ｆ１６、Ｆ２２に設定された場合の被写界深度の目盛が示されている。
【００５２】
レンズＣＰＵ１１０は、ズーム位置センサ１１４、フォーカス位置センサ１１６の出力に基づいて表示部１０６に表示する焦点距離目盛、距離目盛、被写界深度目盛の表示データを生成する。そして、生成した表示データを表示制御回路１１８に加えて、表示部１０６に表示させる。なお、交換レンズ側のシステムメモリ１１２には、焦点距離に応じた被写界深度目盛のデータが格納されており、このデータに基づいて焦点距離に応じた被写界深度目盛の表示データが生成される。
【００５３】
図４（ｂ）は、レンズ情報として、表示部１０６に焦点距離目盛のみを表示した場合を示している。
【００５４】
図４（ｃ）は、レンズ情報として、表示部１０６に距離目盛と被写界深度目盛を表示した場合を示している。
【００５５】
図４（ｄ）は、レンズ情報として、表示部１０６に現在設定されている焦点距離、被写体距離、絞り値を数値表示した場合を示している。この場合、レンズＣＰＵ１１０は、ズーム位置センサ１１４とフォーカス位置センサ１１６の出力に基づいて現在設定されている焦点距離、被写体距離を算出するとともに、カメラＣＰＵ１２から現在設定されている絞り値のデータを取得し、表示データを生成する。そして、生成した表示データを表示制御回路１１８に加えて、表示部１０６に表示させる。
【００５６】
図４（ｅ）は、レンズ情報として、表示部１０６に現在設定されている焦点距離、絞り値を数値表示するとともに、被写体距離及び被写界深度をグラフ表示した場合を示している。この場合、レンズＣＰＵ１１０は、ズーム位置センサ１１４とフォーカス位置センサ１１６の出力に基づいて現在設定されている焦点距離、被写体距離を算出するとともに、カメラＣＰＵ１２から現在設定されている絞り値のデータを取得し、表示データを生成する。被写体距離及び被写界深度については、中央に現在設定されている被写体距離が表示され、その前後に現在設定されている絞り値に基づく前方深度と後方深度とが表示される。
【００５７】
図４（ｆ）は、交換レンズ１００としてマクロレンズ又はマクロ機能を使用した場合の表示例を示している。この場合、レンズ情報として、表示部１０６に現在設定されている焦点距離、撮影倍率、絞り値が数値表示される。レンズＣＰＵ１１０は、ズーム位置センサ１１４とフォーカス位置センサ１１６の出力に基づいて現在設定されている焦点距離、撮影倍率を算出するとともに、カメラＣＰＵ１２から現在設定されている絞り値のデータを取得し、表示データを生成する。
【００５８】
図４（ｇ）は、レンズ情報として、表示部１０６に現在設定されている焦点距離、被写体距離、絞り値、感度を数値表示した場合を示している。この場合、レンズＣＰＵ１１０は、ズーム位置センサ１１４とフォーカス位置センサ１１６の出力に基づいて現在設定されている焦点距離、被写体距離を算出するとともに、カメラＣＰＵ１２から現在設定されている絞り値及び感度のデータを取得し、表示データを生成する。そして、生成した表示データを表示制御回路１１８に加えて、表示部１０６に表示させる。
【００５９】
このように表示部１０６には、各種の情報を表示させることができる。これにより、ユーザにとって必要な情報のみを表示させることができ、必要な情報が見やすく、使い勝手のよいカメラシステム１を提供することができる。
【００６０】
なお、表示部１０６に表示させる情報は、これに限定されるものではなく、たとえば、この他、焦点距離のみ、被写体距離のみ、絞り値のみ、被写界深度のみ、感度のみを数値又は目盛表示してもよいし、これらを組み合わせて表示してもよい。また、これらを切り換えて表示させるようにしてもよい。
【００６１】
ところで、交換レンズ１００は、同じマウント規格のものであれば、カメラ本体１０を変えて装着することができるが、交換レンズ１００は、装着するカメラ本体１０の撮像素子サイズ又はフィルムサイズが変わると、実際に写る画角も変化するという問題がある。たとえば、ＡＰＳ−Ｃサイズ相当の撮像素子を用いたデジタルカメラと３５ｍｍ版フィルムカメラとでは、同じ焦点距離の交換レンズを装着した場合であっても、ＡＰＳ−Ｃサイズ相当デジタルカメラの画角は、３５ｍｍ版フィルムカメラの画角の約１．５５倍相当になる。したがって、たとえば、ＡＰＳ−Ｃサイズ相当デジタルカメラに焦点距離２８ｍｍの交換レンズを装着して撮影した場合、３５ｍｍ版フィルムカメラの４３ｍｍ相当の画角で撮影されることとなる。
【００６２】
このように、交換レンズは、装着するカメラ本体が変わると、画角も変化する場合があることから、装着するカメラ本体が変わっても、常に同じ撮影感覚で操作できるようにするため、表示部１０６に焦点距離を表示する場合は、一定のフィルムサイズ又は撮像素子サイズのカメラの画角に相当する値に換算して表示することが好ましい。たとえば、常に３５ｍｍ版フィルムカメラの画角に相当する値に換算して、焦点距離を表示する。
【００６３】
図５は、焦点距離を換算して表示する場合の表示処理の手順を示すフローチャートである。
【００６４】
まず、レンズＣＰＵ１１０は、交換レンズ１００がカメラ本体１０に装着されたか否かを判定する（ステップＳ１０）。この判定は、たとえば、マウント接点の通電状態に基づいて判定する。
【００６５】
交換レンズ１００がカメラ本体１０に装着されたと判定すると、レンズＣＰＵ１１０は、交換レンズ１００の設定情報の検出を行う（ステップＳ１１）。すなわち、ズーム位置センサ１１４とフォーカス位置センサ１１６の出力に基づいて現在設定されている焦点距離、被写体距離を算出する。
【００６６】
次に、レンズＣＰＵ１１０は、カメラＣＰＵ１２からカメラ本体１０の設定情報を取得する（ステップＳ１２）。すなわち、カメラ本体１２の撮像素子サイズ又はフィルムサイズの情報（３５ｍｍ版、ＡＰＳ、ＡＰＳ―Ｃサイズ、６×４．５版、６×６版、６×６版、６×７版等）、現在設定されている絞り値情報、感度の情報等を取得する。
【００６７】
そして、取得したカメラ本体１２の設定情報に基づいて装着されたカメラ本体１０が３５ｍｍ版フィルムカメラか否かを判定する（ステップＳ１３）。
【００６８】
ここで、装着されたカメラ本体１０が３５ｍｍ版フィルムカメラでない場合は、装着されたカメラ本体１０の撮像素子又はフィルムのサイズの情報に基づいて焦点距離の換算値を設定する（ステップＳ１４）。たとえば、ＡＰＳーＣサイズ相当の撮像素子を用いたデジタルカメラの場合、焦点距離の換算値が１．５５倍に設定される。
【００６９】
次に、表示部１０６に表示する各情報を算出する（ステップＳ１５）。たとえば、表示部１０６に焦点距離情報のみを表示する場合は、焦点距離情報を算出する。この場合、換算値が設定されている場合は、換算した値が算出される。また、たとえば、表示部１０６に焦点距離情報と被写体距離情報を表示する場合には、焦点距離情報と被写体距離情報を算出する。
【００７０】
表示部１０６に表示する情報は、任意に切り換えられるものとし、初期表示時は、たとえば、図４（ａ）に示すように、焦点距離目盛と被写体距離目盛と被写界深度目盛とが表示されるものとする。したがって、この場合、レンズＣＰＵ１１０は、ズーム位置センサ１１４、フォーカス位置センサ１１６の出力に基づいて焦点距離、被写体距離を算出する。また、換算値が設定されている場合、焦点距離については換算値を算出する。
【００７１】
次に、算出した焦点距離、被写体距離の情報に基づいて表示部１０６に表示する表示データを生成する（ステップＳ１６）。ここでは、図４（ａ）に示すように、焦点距離目盛と被写体距離目盛と被写界深度目盛を表示するので、算出した焦点距離、被写体距離の情報に基づいて焦点距離目盛と被写体距離目盛と被写界深度目盛の表示データを生成する。
【００７２】
そして、生成した表示データを表示制御回路１１８に加えて、表示部１０６に表示させる（ステップＳ１７）。
【００７３】
このように、焦点距離を換算して表示することにより、交換レンズ１００を装着するカメラ本体１０を変えても常に同じ感覚で撮影することができ、使い勝手が向上する。
【００７４】
なお、通常の焦点距離表示と換算した焦点距離表示とを任意に切り換えて表示できるようにすることが好ましい。
【００７５】
また、本例では３５ｍｍ版フィルムに換算した焦点距離値を表示する場合を例に説明したが、他のフィルムサイズ又は撮像素子サイズに換算した焦点距離値を表示してもよい。
【００７６】
なお、デジタルカメラの場合、いわゆるデジタルズームが可能であることから、デジタルズームを行った場合にも同様に焦点距離値を換算して表示できるようにすることが好ましい。この場合、レンズＣＰＵ１１０は、たとえば、カメラＣＰＵ１２からデジタルズームの情報を取得し、取得した情報から換算値を求めて焦点距離値を換算する。
【００７７】
また、交換レンズ１００としてマクロレンズを使用した場合、あるいは、交換レンズ１００のマクロ機能を使用した場合は、被写体距離を表示させるよりも、撮影倍率を表示させた方が、使い勝手が向上するので、マクロレンズ又はマクロ機能を使用する場合は、被写体距離から撮影倍率に自動で切り換えて表示することが好ましい。
【００７８】
また、赤外撮影の場合は、結像位置がずれることから、赤外撮影をする場合は、赤外撮影用の距離表示に切り換えることが好ましい。この場合、赤外撮影モードに設定する設定手段をカメラ本体１０又は交換レンズ１００に設け、この設定手段で赤外撮影モードに設定されると、赤外撮影用の距離表示が行われるようにする。赤外撮影モードの設定手段としては、たとえば、カメラ本体１０又は交換レンズ１００に切換スイッチを設け、この切換スイッチで行うようにしてもよいし、撮影メニューで行うようにしてもよい。
【００７９】
また、マクロ撮影の場合は、撮影倍率が表示されることが好ましいことから、マクロレンズが装着された場合、あるいは、交換レンズ１００のマクロ機能を使って撮影する場合は、撮影倍率が表示されるようにすることが好ましい。
【００８０】
なお、本実施の形態では、表示部１０６が鏡筒部１０２の外周一カ所にのみ形成されているが、複数個所に形成してもよい。たとえば、図６に示すように、鏡筒部１０２の上部二カ所に設置してもよい。
【００８１】
また、本実施の形態では、表示部１０６の形状を円弧状の外周面に沿った矩形状としているが、表示部１０６の形状は、これに限定されるものではなく、鏡筒部１０２の形状に合わせて適宜変更して形成してもよい。
【００８２】
なお、一般に交換レンズ１００の鏡筒部１０２は、円筒状であることから、表示部１０６は可撓性を有する表示手段を用いることが好ましい。この点から表示部１０６は、可撓性を有する電子ペーパを用いることが好ましいが、液晶ディスプレイや有機ＥＬディスプレイ等を用いてもよい。なお、電子ペーパは、電力供給がなくても表示を維持することができることから、省電力化を図れるという利点がある。一方、このように表示が維持されると、装着するカメラ本体を変えたときに、前の表示が残存している場合があるので、交換レンズ１００をカメラ本体１０から取り外した場合や、カメラ本体１０の電源をオフにした場合は、一旦、表示を消すようにしてもよい。
【００８３】
また、本実施の形態では、交換レンズ１００の表示部１０６にレンズ情報を表示させる場合を例に説明したが、カメラ本体１０に表示部が備えられている場合には、そのカメラ本体側の表示部にも同種のレンズ情報を表示させるようにしてもよい。
【００８４】
また、本実施の形態では、カメラ本体１０に設けられた操作部で表示部１０６の表示切り換えを行っているが、表示部１０６の表示を切り換える手段は、これに限定されるものではない。たとえば、交換レンズ１００に表示切り換えボタンを設け、この表示切り換えボタンで表示部１０６の表示を切り換えるようにしてもよい。また、カメラ本体１０の設定メニューで表示を切り換えるようにしてもよい。なお、表示する内容及び順番は、あらかじめ設定しておいてもよいが、ユーザが任意に設定できるようにすることが好ましい。
【００８５】
さらに、本実施の形態では、表示部１０６の表示制御をレンズＣＰＵ１１０で行っているが、カメラ本体１０に設置されたカメラＣＰＵ１２で表示制御を行うようにしてもよい。
【００８６】
また、本実施の形態では、レンズ交換式のカメラに本発明を適用した場合を例に説明したが、レンズ一体式のカメラにも同様に適用することができる。
【図面の簡単な説明】
【００８７】
【図１】カメラシステムの外観構成を示す斜視図
【図２】交換レンズの平面図
【図３】表示部の表示制御に係わる構成のブロック図
【図４】表示部の表示例を示す図
【図５】焦点距離を換算して表示する場合の表示処理の手順を示すフローチャート
【図６】交換レンズの他の実施の形態の平面図
【符号の説明】
【００８８】
１…カメラシステム、１０…カメラ本体、１２…カメラＣＰＵ、１４…システムメモリ、１６…操作部、１００…交換レンズ、１０２…鏡筒部、１０４Ｆ…フォーカスリング、１０４Ｚ…ズームリング、１０６…表示部、１１０…レンズＣＰＵ、１１２…システムメモリ、１１４…ズーム位置センサ、１１６…フォーカス位置センサ、１１８…表示制御回路
【図１】
2007072407.tif 000003
【図２】
2007072407.tif 000004
【図３】
2007072407.tif 000005
【図４】
2007072407.tif 000006
【図５】
2007072407.tif 000007
【図６】
2007072407.tif 000008